(57)【要約】【課題】レンズを確実に位置決めする。【解決手段】レンズ鏡筒１０は、レンズ１１、鏡筒本体１２、押え環１３を備える。鏡筒本体１２は、受け部１２ａ、覆い部１２ｂを備える。覆い部１２ｂには、スリット１２ｃが１２０°ピッチで３個形成されている。押え環１３は、本体部１３ａに押付片１３ｂが形成されている。押え環１３には、押付部１３ｃが形成されている。レンズ鏡筒１０を組み立てるときには、レンズ１１のフランジ部１１ｂを、鏡筒本体１２の受け部１２ａに載せる。押え環１３を鏡筒本体１２に取り付けると、覆い部１２ｂが押付部１３ｃに当接して内側方向に変形する。覆い部１２ｂは、内側方向に変形すると、レンズ１１の周面に押し付けられ、レンズ１１は径方向への移動が規制されて径方向が位置決めされる。フランジ部１１ｂは、押付片１３ｂにより受け部１２ａに押し付けられ、レンズ１１は、光軸方向が位置決めされる。【選択図】図４
2010271646.tif 000002
【特許請求の範囲】
【請求項１】
レンズと、
前記レンズを受けて前記レンズを光軸方向に位置決めする受け部、及び光軸方向に延びて前記レンズの周面を覆う覆い部を有する鏡筒本体と、
前記覆い部に設けられ、前記覆い部が径方向に変形可能となるように光軸方向に延びる複数のスリットと、
前記鏡筒本体の周面を覆い、前記鏡筒本体に取り付けられる押え環と、
前記押え環に設けられ、前記覆い部に当接して前記覆い部を内側方向に変形させて前記レンズに押し付け、前記レンズの径方向への移動を規制する押付部と、を備えることを特徴とするレンズ鏡筒。
【請求項２】
前記スリットは、３個以上設けられていることを特徴とする請求項１記載のレンズ鏡筒。
【請求項３】
前記押え環は、前記レンズを前記受け部に押し付ける押付片を備えることを特徴とする請求項１または２記載のレンズ鏡筒。
【請求項４】
レンズを受けて前記レンズを光軸方向に位置決めする受け部と、前記レンズの光軸方向に延びて前記レンズの周面を覆うとともに、径方向に変形可能となるように光軸方向に延びる複数のスリットが設けられた覆い部とを有する固定治具の前記受け部に、前記レンズを載せ、
鏡筒本体を、前記覆い部の周面を覆うように固定治具に取り付け、
前記鏡筒本体に設けられた押付部を前記覆い部に当接することにより、前記覆い部を内側方向に変形させて前記レンズに押し付け、前記レンズの径方向への移動を規制し、
径方向への移動が規制された前記レンズを前記鏡筒本体に固定した後に、前記固定治具を取り外すことを特徴とするレンズ固定方法。
【発明の詳細な説明】
【技術分野】
【０００１】
本発明は、レンズを鏡筒本体に収納したレンズ鏡筒及びレンズ固定方法に関するものである。
【背景技術】
【０００２】
デジタルカメラ等には、レンズを鏡筒本体に固定したレンズ鏡筒が搭載されている。特許文献１のレンズ鏡筒は、鏡筒本体内にレンズを収納し、鏡筒本体に取り付けられる固定部材によりレンズを固定している。このレンズ鏡筒では、固定部材に形成された傾斜面を、レンズに形成された傾斜面に押し付けることにより、レンズの位置ズレを防止して、レンズを正規の位置に位置決めしている。
【先行技術文献】
【特許文献】
【０００３】
【特許文献１】特開２００９−０１５００４号公報
【発明の概要】
【発明が解決しようとする課題】
【０００４】
特許文献１では、レンズを位置決めするために、固定部材に形成された傾斜面を、レンズに形成された傾斜面に押し付けているが、この押し付けたときの力により、鏡筒本体が変形することがある。鏡筒本体が変形した場合は、変形した状態の鏡筒本体にレンズが固定されるため、レンズを正規の位置で位置決めすることができない。
【０００５】
本発明は、上記課題を解決するためになされたものであり、レンズを確実に位置決めすることができるレンズ鏡筒及びレンズ固定方法を提供することを目的とする。
【課題を解決するための手段】
【０００６】
上記課題を解決するために、本発明のレンズ鏡筒は、レンズと、前記レンズを受けて前記レンズを光軸方向に位置決めする受け部、及び光軸方向に延びて前記レンズの周面を覆う覆い部を有する鏡筒本体と、前記覆い部に設けられ、前記覆い部が径方向に変形可能となるように光軸方向に延びる複数のスリットと、前記鏡筒本体の周面を覆い、前記鏡筒本体に取り付けられる押え環と、前記押え環に設けられ、前記覆い部に当接して前記覆い部を内側方向に変形させて前記レンズに押し付け、前記レンズの径方向への移動を規制する押付部と、を備えることを特徴とする。
【０００７】
また、前記スリットは、３個以上設けられていることが好ましい。
【０００８】
さらに、前記押え環は、前記レンズを前記受け部に押し付ける押付片を備えることが好ましい。
【０００９】
また、本発明のレンズ固定方法は、レンズを受けて前記レンズを光軸方向に位置決めする受け部と、前記レンズの光軸方向に延びて前記レンズの周面を覆うとともに、径方向に変形可能となるように光軸方向に延びる複数のスリットが設けられた覆い部とを有する固定治具の前記受け部に、前記レンズを載せ、鏡筒本体を、前記覆い部の周面を覆うように固定治具に取り付け、前記鏡筒本体に設けられた押付部を前記覆い部に当接することにより、前記覆い部を内側方向に変形させて前記レンズに押し付け、前記レンズの径方向への移動を規制し、径方向への移動が規制された前記レンズを前記鏡筒本体に固定した後に、前記固定治具を取り外すことを特徴とする。
【発明の効果】
【００１０】
本発明のレンズ鏡筒によれば、鏡筒本体に光軸方向に延びて設けられてレンズ周面を覆う覆い部に、光軸方向に延びる複数のスリットを設け、押え環を鏡筒本体の周面を覆うように取り付けると、押え環に設けられた押付部が、覆い部を内側方向に変形させてレンズに押し付け、レンズの径方向への移動を規制するから、レンズを確実に位置決めすることができる。これにより、レンズの光軸ズレを確実に防止することができる。さらに、覆い部に複数のスリットを設けるから、押え環を変形させることなく、確実に覆い部のみを内側方向に変形させてレンズに押し付けることができる。
【００１１】
また、スリットを３個以上設けるから、より一層確実に鏡筒本体を内側方向に変形させてレンズに押し付けることができる。
【００１２】
さらに、押え環は、レンズを鏡筒本体に押し付ける押付片を備えるから、より一層確実にレンズを光軸方向に位置決めすることができる。
【００１３】
また、本発明のレンズ固定方法によれば、光軸方向に延びてレンズの周面を覆うとともに、光軸方向に延びる複数のスリットが設けられて径方向に変形可能な覆い部を有する固定治具に、レンズを載せ、鏡筒本体を、覆い部の周面を覆うように固定治具に取り付け、鏡筒本体に設けられた押付部を覆い部に当接することにより、覆い部を内側方向に変形させてレンズに押し付け、レンズの径方向への移動を規制し、径方向への移動が規制されたレンズを鏡筒本体に固定した後に、固定治具を取り外すから、レンズを確実に位置決めした状態で鏡筒本体に固定することができる。これにより、部品点数を増加することなく、レンズの光軸ズレを確実に防止することができる。さらに、覆い部に複数のスリットを設けるから、鏡筒本体を変形させることなく、確実に覆い部のみを内側方向に変形させてレンズに押し付けることができる。
【図面の簡単な説明】
【００１４】
【図１】レンズ鏡筒の斜視図である。
【図２】レンズ鏡筒の分解斜視図である。
【図３】レンズ鏡筒の断面図である。
【図４】（Ａ）はレンズを鏡筒本体に載せた状態、（Ｂ）は押え環を鏡筒本体に取り付けてレンズを位置決めした状態のレンズと鏡筒本体と押え環とを示す断面図である。
【図５】固定治具を用いてレンズを鏡筒本体に固定する第２実施形態のレンズと鏡筒本体と固定治具とを示す分解斜視図である。
【図６】第２実施形態のレンズと鏡筒本体と固定治具とを示す断面図である。
【図７】（Ａ）はレンズを固定治具に載せた状態、（Ｂ）は鏡筒本体を固定治具に取り付けてレンズを位置決めした状態のレンズと鏡筒本体と固定治具とを示す断面図である。
【図８】（Ａ）は接着剤によりレンズを鏡筒本体に固定した状態、（Ｂ）は固定治具を取り外した状態の断面図である。
【発明を実施するための最良の形態】
【００１５】
［第１実施形態］
図１及び図２に示すように、レンズ鏡筒１０は、レンズ１１と、このレンズ１１を収納する鏡筒本体１２と、レンズ１１及び鏡筒本体１２を覆うととともに、鏡筒本体１２に取り付けられる押え環１３とを備える。
【００１６】
図２及び図３に示すように、レンズ１１は、本体部１１ａと、フランジ部１１ｂとを備える。鏡筒本体１２は、円筒状をしており、レンズ１１のフランジ部１１ｂを受けてレンズ１１を光軸方向（図２及び図３における上下方向）に位置決めする受け部１２ａと、光軸方向に延びてレンズ１１の周面を覆う円筒状の覆い部１２ｂとを備える。この覆い部１２ｂには、覆い部１２ｂが径方向に変形可能となるように光軸方向に延びるスリット１２ｃが１２０°ピッチで３個形成されている。鏡筒本体１２の下部分の周面には、ネジ切りされた雄ネジ部１２ｄが形成されている。
【００１７】
押え環１３は、円筒状の本体部１３ａに、レンズ１１のフランジ部１１ｂを受け部１２ａに押し付ける押付片１３ｂが形成されている。押え環１３の内面であって本体部１３ａと押付片１３ｂとの接続部には、覆い部１２ｂの先端部に当接して覆い部１２ｂを変形させてレンズ１１に押し付け、レンズ１１の径方向への移動を規制する押付部１３ｃが全周に亘って形成されている。本体部１３ａの下部分の内面には、雄ネジ部１２ｄに螺合するようにネジ切りされた雌ネジ部１３ｄが形成されている。本体部１３ａは、覆い部１２ｂよりも肉厚に形成されている。これにより、押え環１３を鏡筒本体１２に取り付けたときに、押え環１３が変形することがない。
【００１８】
次に、上記のように構成されたレンズ鏡筒１０の作用について説明する。レンズ鏡筒１０を組み立てるときには、先ず、図４（Ａ）に示すように、レンズ１１のフランジ部１１ｂを、鏡筒本体１２の受け部１２ａに載せる。次に、図４（Ｂ）に示すように、雌ネジ部１３ｄを雄ネジ部１２ｄに螺合させた後、押え環１３を螺合方向（例えば、時計方向）に回転させる。押付片１３ｂがフランジ部１１ｂに当接するまで押え環１３を時計方向に回転させると、覆い部１２ｂが押付部１３ｃに当接して内側方向に変形する。覆い部１２ｂは、内側方向に変形すると、レンズ１１の周面に押し付けられる。これにより、レンズ１１は径方向への移動が規制されて径方向が位置決めされる。また、フランジ部１１ｂは、押付片１３ｂにより受け部１２ａに押し付けられる。これにより、レンズ１１は、光軸方向が位置決めされる。
【００１９】
このように、鏡筒本体１２の覆い部１２ｂを内側方向に変形させてレンズ１１に押し付けることにより、レンズ１１を位置決めするから、レンズ１１を確実に位置決めすることができる。これにより、レンズ１１の光軸ズレを確実に防止することができる。さらに、覆い部１２ｂに３個のスリット１２ｃを設けたから、押え環１３を変形させることなく、確実に覆い部１２ｂのみを内側方向に変形させてレンズ１１に押し付けることができる。
【００２０】
［第２実施形態］
図５〜図８に示す第２実施形態は、固定治具２０を用いてレンズ１１を鏡筒本体２１に固定して、レンズ１１及び鏡筒本体２１を備えるレンズ鏡筒２２を製造する。なお、第１実施形態のものと同様の構成部材には同一の符号を付し、その詳細な説明を省略する。
【００２１】
図５及び図６に示すように、固定治具２０は、円筒状をしており、レンズ１１のフランジ部１１ｂを受けてレンズ１１を光軸方向（図５及び図６における上下方向）に位置決めする受け部２０ａと、光軸方向に延びてレンズ１１の周面を覆う円筒状の覆い部２０ｂとを備える。この覆い部２０ｂには、覆い部２０ｂが径方向に変形可能となるように光軸方向に延びるスリット２０ｃが１２０°ピッチで３個形成されている。覆い部２０ｂは、弾性変形可能となっている。固定治具２０の下部分の周面には、ネジ切りされた雄ネジ部２０ｄが形成されている。
【００２２】
鏡筒本体２１は、円筒状の本体部２１ａに、レンズ１１のフランジ部１１ｂを受け部２０ａに押し付ける押付片２１ｂが形成されている。鏡筒本体２１の内面であって本体部２１ａと押付片２１ｂとの接続部には、覆い部２０ｂの先端部に当接して覆い部２０ｂを変形させてレンズ１１に押し付け、レンズ１１の径方向への移動を規制する押付部２１ｃが全周に亘って形成されている。押付片２１ｂには、レンズ１１と鏡筒本体２１とを固定する接着剤２５を流し込むための固定孔２１ｄが９０°ピッチで４個形成されている。本体部２１ａの下部分の内面には、雄ネジ部２０ｄに螺合するようにネジ切りされた雌ネジ部２１ｅが形成されている。なお、固定孔２１ｄの数は適宜変更可能である。本体部２１ａは、覆い部２０ｂよりも肉厚に形成されている。これにより、鏡筒本体２１を固定治具２０に取り付けたときに、鏡筒本体２１が変形することがない。
【００２３】
次に、上記のように構成されたレンズ鏡筒２２の作用について説明する。レンズ鏡筒２２を組み立てるときには、先ず、図７（Ａ）に示すように、レンズ１１のフランジ部１１ｂを、固定治具２０の受け部２０ａに載せる。次に、図７（Ｂ）に示すように、雌ネジ部２１ｅを雄ネジ部２０ｄに螺合させた後、鏡筒本体２１を螺合方向（例えば、時計方向）に回転させる。押付片２１ｂがフランジ部１１ｂに当接するまで鏡筒本体２１を時計方向に回転させると、覆い部２０ｂが押付部２１ｃに当接して内側方向に変形する。覆い部２０ｂは、内側方向に変形すると、レンズ１１の周面に押し付けられる。これにより、レンズ１１は径方向への移動が規制されて径方向が位置決めされる。また、フランジ部１１ｂは、押付片２１ｂにより受け部２０ａに押し付けられる。これにより、レンズ１１は、光軸方向が位置決めされる。
【００２４】
図８（Ａ）に示すように、レンズ１１を鏡筒本体２１に位置決めした状態で、固定孔２１ｄに接着剤２５を流し込む。そして、接着剤２５によりレンズ１１が鏡筒本体２１に固定された後、図８（Ｂ）に示すように、雌ネジ部２１ｅと雄ネジ部２０ｄとの螺合を解くように固定治具２０を回転させて、固定治具２０を取り外す。覆い部２０ｂは弾性変形可能であるため、固定治具２０を取り外すと、覆い部２０ｂは元の形状（図６参照）に戻る。これにより、固定治具２０を繰り返し使用することができる。
【００２５】
このように、固定治具２０の覆い部２０ｂを内側方向に変形させてレンズ１１に押し付けることにより、レンズ１１を位置決めするから、レンズ１１を確実に位置決めすることができる。これにより、レンズ１１の光軸ズレを確実に防止することができる。さらに、覆い部２０ｂに３個のスリット２０ｃを設けたから、鏡筒本体２１を変形させることなく、確実に覆い部２０ｂのみを内側方向に変形させてレンズ１１に押し付けることができる。
【００２６】
なお、上記実施形態では、覆い部１２ｂ，２０ｂの先端を、テーパ状の押付部１３ｃ，２１ｃに当接することにより、覆い部１２ｂ，２０ｂを内側方向に変形させているが、覆い部１２ｂ，２０ｂを内側方向に変形させる方法はこれに限定されることなく、例えば、覆い部１２ｂ，２０ｂの周面に円弧状やテーパ状の凸部を形成し、この凸部を押え環１３または鏡筒本体２１の内面に当接させることにより、覆い部１２ｂ，２０ｂを内側方向に変形させてもよく、さらには、覆い部１２ｂ，２０ｂの周面を、根元側に向けて外側に広がるテーパ状に形成し、覆い部１２ｂ，２０ｂのテーパ状の周面を、押え環１３または鏡筒本体２１の内面に当接させることにより、覆い部１２ｂ，２０ｂを内側方向に変形させてもよい。
【００２７】
また、上記実施形態では、スリット１２ｃ，２０ｃを３個設けているが、スリット１２ｃ，２０ｃの数は、複数であれば適宜変更可能であり、覆い部１２ｂ，２０ｂを容易に変形可能とするために３個以上であることが好ましい。
【００２８】
さらに、上記第２実施形態では、接着剤２５によりレンズ１１を鏡筒本体２１に固定しているが、固定方法はこれに限定されることなく、例えば、熱溶着や超音波溶着等により固定してもよい。また、固定孔２１ｄの数は適宜変更可能であるが、確実に固定するために、３個以上であることが好ましく、これら３個以上の固定孔２１ｄは一定のピッチで形成することが好ましい。
【００２９】
また、上記第１実施形態では、鏡筒本体１２と押え環１３との取り付けを、雄ネジ部１２ｄと雌ネジ部１３ｄとの螺合により行っているが、取り付け方法はこれに限定されることなく、例えば、熱溶着や超音波溶着等により取り付けてもよい。
【００３０】
さらに、上記第２実施形態では、固定治具２０と鏡筒本体２１との取り付けを、雄ネジ部２０ｄと雌ネジ部２１ｅとの螺合により行っているが、取り付け方法はこれに限定されることなく、取り外し可能であればよく、例えば、取り外し可能なフックにより取り付けてもよい。
【符号の説明】
【００３１】
１０，２２  レンズ鏡筒
１１  レンズ
１２，２１  鏡筒本体
１２ａ  受け部
１２ｂ  覆い部
１２ｃ  スリット
１３  押え環
１３ｂ  押付片
１３ｃ，２１ｃ  押付部
２０  固定治具
２０ａ  受け部
２０ｂ  覆い部
２０ｃ  スリット
【図１】
2010271646.tif 000003
【図２】
2010271646.tif 000004
【図３】
2010271646.tif 000005
【図４】
2010271646.tif 000006
【図５】
2010271646.tif 000007
【図６】
2010271646.tif 000008
【図７】
2010271646.tif 000009
【図８】
2010271646.tif 000010